(57)【特許請求の範囲】
【請求項１】
強磁性の搬送ベルトによって枚葉紙を搬送するための方法において、搬送ベルト（４）に結合されていない磁気式の保持手段（１２）を、前記搬送ベルト（４）から間隔（ｂ）を置いて配置されていて前記保持手段（１２）を保持したり解放したりするための第１の保持装置（８）によって、搬送すべき枚葉紙（１）上に載せ、前記保持手段（１２）によって前記搬送ベルト（４）に固定された該枚葉紙（１）が、前記保持手段（１２）を保持したり解放したりするための第２の保持装置（９）を通過するようにして、該第２の保持装置（９）によって前記保持手段（１２）を前記枚葉紙（１）から取り去り、該保持手段（１２）と前記搬送ベルト（４）を分離させることを特徴とする、搬送ベルトによって枚葉紙を搬送するための方法。
【請求項２】
第２の保持装置（９）が、該保持装置（９）によって枚葉紙（１）から取り去った保持手段（１２）を、連続する２つの枚葉紙（１）間で搬送ベルト（４）上に降ろし、第１の保持装置（８）が前記保持手段（１２）を搬送ベルト（４）から取り去る請求項１記載の方法。
【請求項３】
第３の保持装置（１９）が保持手段（１２）を搬送ベルト（４）から取り去って、かつ搬送ベルト（４）上に載せる請求項１または２記載の方法。
【請求項４】
エンドレスに循環する少なくとも１つの搬送ベルトによって枚葉紙を搬送する装置であって、前記搬送ベルトに枚葉紙が少なくとも部分的に固定されるようになっている形式のものにおいて、枚葉紙（１）を搬送ベルト（４）に固定するために、該搬送ベルト上に載せられたり、該搬送ベルト上から取り去られる、該搬送ベルトに結合されていない磁気式の保持手段（１２）を有しており、該磁気式の保持手段（１２）を保持したり解放したりするための保持装置（８，９，１９）が、前記搬送ベルト（４）からわずかな間隔（ｂ）を置いて配置されていることを特徴とする、搬送ベルトによって枚葉紙を搬送するための装置。
【請求項５】
保持手段（１２）が永久磁石である請求項４記載の装置。
【請求項６】
保持装置（８，９，１９）が作動可能並びに転極可能な電磁石である請求項５記載の装置。
【請求項７】
保持装置（８，９，１９）が空気力で作用する吸引装置である請求項５記載の装置。
【請求項８】
磁気式の保持手段（１２）が円形リング状の扁平なプレートである請求項４から６までのいずれか１項記載の装置。
【請求項９】
保持装置（８，９，１９）がそれぞれ１つのセンタリングピン（２１）を有している請求項４から７までのいずれか１項記載の装置。
【請求項１０】
センタリングピン（２１）の周囲に、プレート状の永久磁石（１２）のための保持面（２３）が設けられている請求項９記載の装置。
【請求項１１】
搬送ベルト（４）によって形成された搬送区間の端部範囲に、付加的な吸引ベルト（１４）が配置されている請求項４から１０までのいずれか１項記載の装置。
【請求項１２】
搬送ベルト（４）からわずかな間隔（ｃ）を置いて、インキジェット印刷ユニット（１３）が配置されている請求項４から１１までのいずれか１項記載の装置。
【請求項１３】
各保持装置（８，９，１９）に対応して、枚葉紙縁を検出するため、若しくは保持手段（１２）を検出するためのそれぞれ１つのセンサ（１６，１７、２０）が配置されている請求項４から１２までのいずれか１項記載の装置。
【発明の詳細な説明】
【０００１】
【発明の属する技術分野】
本発明は、エンドレスに循環する少なくとも１つの搬送ベルトによって枚葉紙を、該枚葉紙が搬送ベルトに少なくとも部分的に固定された状態で搬送するための方法及び装置に関する。
【０００２】
【従来の技術】
エンドレスに循環する搬送ベルトに枚葉紙を固定するための装置は、例えばヨーロッパ特許第００９９０５４Ｂ１号明細書に基づき公知である。
【０００３】
この場合、搬送ベルトは磁性を有していて、搬送したい枚葉紙は磁化可能に形成されている。
【０００４】
ヨーロッパ特許第００９９０５４号明細書に記載の搬送ベルトは、搬送したい枚葉紙が磁性搬送ベルトに位置固定され得るために、磁化可能な粒子または層を含んでいなければならない、という欠点を有している。
【０００５】
【発明が解決しようとする課題】
本発明の課題は、枚葉紙を搬送するための方法および装置を改善して、搬送すべき枚葉紙が、該枚葉紙に磁化可能な付加物を備える必要なしに、搬送ベルトに固定されるようにすることである。
【０００６】
【課題を解決するための手段】
前記課題を解決するために本発明の方法では、搬送ベルトに結合されていない磁気式の保持手段を、前記搬送ベルトから間隔を置いて配置されていて前記保持手段を保持したり解放したりするための第１の保持装置によって、搬送すべき枚葉紙上に載せ、前記保持手段によって前記搬送ベルトに固定された該枚葉紙が、前記保持手段を保持したり解放したりするための第２の保持装置を通過するようにして、該第２の保持装置によって前記保持手段を枚葉紙から取り去り、該保持手段と前記搬送ベルトを分離させるようになっている。
【０００７】
【発明の効果】
本発明は、磁気式のプレートとして形成された非常に扁平な保持手段を用いることができる、という利点を有している。このような解決手段により、例えば部分的に印刷された枚葉紙若しくは印刷されていない枚葉紙に、搬送ベルトによって形成された搬送経路で、例えばインキジェット印刷ユニットによって単色塗布または多色塗布を実施することが可能になる。
【０００８】
有利な構成では、磁気式のプレートのための保持手段が、搬送ベルトの外側で搬送経路の始端部と終端部に配置して設けられている。保持手段は、作動可能な電磁石若しくは保持吸着器(Haltesauger)として形成されている。
【０００９】
本発明の別の構成では、搬送ベルトの下側に、すなわち空で戻り走行する搬送ベルトの領域に、不要な磁気式のプレートのための貯蔵器が配置されている。このような解決手段により、搬送装置は任意の枚葉紙サイズに対して使用可能である。
【００１０】
別の利点が、搬送ベルトに対する枚葉紙の無接触の固定にある。有利な形式では、絶えず変わる枚葉紙サイズが機械的なサイズ適合手段を付加的に必要とすることなしに、搬送され得る。別の有利な構成では、プレートは円形リングである。これによって、プレートはセンタリングピンを利用して磁気式の保持手段若しくは空気力式の保持手段に繰り返し正確に位置決めされ得る。
【００１１】
【発明の実施の形態】
以下に、本発明の実施例を図面に基づき詳細に説明する。
【００１２】
枚葉紙１を枚葉紙パイル２から枚葉紙パイル３に搬送するための装置は、例えば薄いスチールベルト(Stahlband)から成るフレキシブルな強磁性の少なくとも１つの搬送ベルト４を有している。
【００１３】
エンドレスに循環する搬送ベルト４は、少なくとも２つの転向ローラ６，７の周りを転向され、これらの転向ローラのうち少なくとも１つが駆動されている。
【００１４】
搬送ベルト４の、第１の枚葉紙パイル２に向けられた領域（これは搬送ベルト４によって規定される搬送経路の始端部に相応する）に、作動可能並びに切替可能な第１の保持装置８が配置されている。第２の作動可能並びに切替可能な保持装置９は、搬送経路の、枚葉紙パイル３に向けられた終端部に配置されている。保持装置８，９は有利には切替可能な電磁石として形成されている。選択的に、保持装置８，９は空気力で作用するように、例えば切替可能な行程吸着器(Hubsauger)として形成されていてよい。
【００１５】
分離装置２５が枚葉紙パイル２から枚葉紙１を持ち上げかつ、所定のタイミングローラ１１によって搬送ベルト４に供給する。枚葉紙１は磁気式の保持手段１２、例えばＮｄＦｅＢ（[Neodym-Eisen-Boher]ネオジムホウ化鉄）から成る永久磁石によって搬送ベルト４に固定される。永久磁石１２は保持装置８によってまず搬送ベルト４上に密接(dicht)して保持される。枚葉紙１の前縁が保持装置８を通過すると直ちに、永久磁石１２は保持装置８から解放されて、枚葉紙１の前側の領域に降ろされる。永久磁石１２によって形成された力の場が、枚葉紙１を貫通して作用し、従って、永久磁石１２は強磁性の搬送ベルト４と一緒に枚葉紙１を保持(festhalten)する。
【００１６】
このように固定された枚葉紙１は、例えば搬送経路上で、インキジェット印刷ユニット１３によって単色印刷または多色印刷され得る。
【００１７】
保持手段１２は、有利には厚さａ（ａ＝約０．５ｍｍ）の小さい円形リング状のプレート(kreisringfoermige Scheibe)として形成されている。このような手段によって、インキジェット印刷ユニット１３が搬送ベルト４から小さい間隔ｂ（ｂ＞ａ＋枚葉紙厚さｄ）を置いて配置され得る。
【００１８】
枚葉紙１が搬送経路の終端領域に達して、そこで保持装置９を通過すると、保持装置９が作動されて、円形リング状の永久磁石１２が枚葉紙１若しくは搬送ベルト４から取り去られる。
【００１９】
搬送ベルト４上に今や自由に載っている枚葉紙１の保持のために、例えば吸引ベルト(Saugband)１４を設けてあり、吸引ベルトが枚葉紙１を受け取って枚葉紙パイル３に搬送する。
【００２０】
枚葉紙１の端部が保持装置９を通過した後で、保持装置９は永久磁石１２を解放して、先行の枚葉紙１の枚葉紙後縁と後続の枚葉紙１の枚葉紙前縁との間で搬送ベルト４上に降ろす。
【００２１】
保持装置８，９の作動は、処理すべき枚葉紙サイズに関連して搬送装置の作業サイクルで行われる。
【００２２】
保持装置８，９の作動及び非作動のために、選択的にセンサ手段１６，１７を設けてよく、センサ手段１６，１７が枚葉紙前縁の存在若しくは永久磁石１２に応働して、永久磁石１２を搬送ベルト４若しくは枚葉紙１上に降ろし、若しくは受け取る。
【００２３】
本発明は、唯一の搬送ベルト４を用いて説明してあるが、もちろん２つ若しくは複数の搬送ベルトが平行に並べて用いられてよい。この場合、相応に複数の保持装置８，９が同じく平行に並べて用いられる（図２）。
【００２４】
異なる枚葉紙サイズの処理に際しては、連続する２つの枚葉紙１間の一定の間隔ｓを得るために、多くの数の永久磁石１２を使用してよい。
【００２５】
従って、本発明の有利な構成では余剰の永久磁石１２のための貯蔵装置１８を設けてあり、貯蔵装置は搬送ベルト４の戻り経路に配置されている。
【００２６】
この場合、複数の切替可能な保持装置１９が、搬送ベルト４の運動方向で戻り走行する空搬送ベルト４の下側に配置されている。各保持装置１９に対応して、保持手段１２，２４を検出するためのセンサ２０が配置されていてよい。
【００２７】
必要に応じて、例えば小さい枚葉紙サイズの処理に際して、永久磁石１２は相応のサイズ間隔で保持装置１９から解放されて、搬送ベルト４に付着される。この場合、保持装置１９は保持装置８，９と同じように磁気式(magnetisch)に若しくは空気力式(pneumatisch)に作動する。
【００２８】
保持装置８，９，１９は、搬送ベルトに向いた側にセンタリングピン２１を有しており、センタリングピン２１がリング状の永久磁石１２の中央孔２２内に係合する。保持装置８，９，１９のセンタリングピン２１の周囲のリング面(Ringflaeche)２３は、磁気式若しくは空気力式に形成されている。
【図面の簡単な説明】
【図１】本発明に基づく装置の概略的な断面図
【図２】本発明に基づく装置の概略的な平面図
【図３】作動可能な保持手段の概略的な拡大図
【符号の説明】
１  枚葉紙、  ２  枚葉紙パイル（給紙装置）、  ３  枚葉紙パイル（排紙装置）、  ４  搬送ベルト、  ６  転向ローラ、  ７  転向ローラ、  ８  保持装置、  ９  保持装置、  １１  タイミングローラ、  １２  保持手段、  １３  インキジェット印刷ユニット、  １４  吸引ベルト、  １６  センサ、  １７  センサ、  １８  貯蔵装置、  １９  保持装置、  ２０  センサ、  ２１  センタリングピン、  ２２  孔、  ２３  リング面、  ２５  分離装置、  ａ  厚さ、  ｂ  間隔、  ｃ  間隔
【図１】
0004173596.tif 000002
【図２】
0004173596.tif 000003
【図３】
0004173596.tif 000004